(57)【要約】【課題】【解決手段】本発明は、乗物の手すり１０であって、把手１２と、乗物の手すり１０を乗物本体に装着するための少なくとも１つの軸受支持体１４とを有し、把手１２の軸受部分１８が軸受支持体１４に回動可能に取り付けられた上記乗物の手すりにおいて、把手１２の回動軸線Ｓを画成し且つ、この回動軸線Ｓに沿って当初の位置から接続位置まで変位することのできる２つの副軸２２、２４が軸受支持体１４に設けられ、前記副軸２２、２４は、把手１２及び軸受支持体１４を接続位置にて互いに連結する、上記乗物の手すり１０に関する。【選択図】図１
2009501663.tif 000002
【特許請求の範囲】
【請求項１】
乗物の手すり（１０）であって、把手（１２）と、乗物の手すり（１０）を乗物本体（１６）に装着するための少なくとも１つの軸受支持体（１４）とを備え、把手（１２）の軸受部分（１８）が軸受支持体（１４）に回動可能に取り付けられた前記乗物の手すりにおいて、把手（１２）の回動軸線（Ｓ）を画成し且つ、この回動軸線（Ｓ）に沿って当初の位置から接続位置まで変位することのできる２つの副軸（２２、２４）が軸受支持体（１４）に設けられ、前記副軸（２２、２４）は、把手（１２）及び軸受支持体（１４）を接続位置にて互いに連結することを特徴とする、乗物の手すり（１０）。
【請求項２】
請求項１に記載の乗物の手すり（１０）において、副軸（２２、２４）の当初の位置にあるとき、軸受支持体（１４）は、把手（１２）の２つの軸受突出部（５４、５６）間にて可動であることを特徴とする、乗物の手すり（１０）。
【請求項３】
請求項１又は２に記載の乗物の手すり（１０）において、当初の位置にあるとき、副軸（２２、２４）は、軸受支持体（１４）と共に予め取り付けたユニットを形成し且つ、軸受支持体（１４）上にて解放されないよう固定されることを特徴とする、乗物の手すり（１０）。
【請求項４】
請求項１ないし３の何れか１つの項に記載の乗物の手すり（１０）において、把手（１２）の軸受部分（１８）は、副軸（２２、２４）が接続位置にて係合する凹部を有することを特徴とする、乗物の手すり（１０）。
【請求項５】
請求項４に記載の乗物の手すり（１０）において、凹部は、副軸（２２、２４）を案内するための周壁と、副軸（２２、２４）の軸方向への変位を制限する基部とを有することを特徴とする、乗物の手すり（１０）。
【請求項６】
請求項４又は５に記載の乗物の手すり（１０）において、軸受支持体（１４）は、２つの副軸（２２、２４）の間に配置された備え付け要素を有し、該備え付け要素は、副軸（２２、２４）を接続位置にて係止することを特徴とする、乗物の手すり（１０）。
【請求項７】
請求項６に記載の乗物の手すり（１０）において、備え付け要素は、ばねハウジング（３０、３２）及び緩衝装置（２６）の一方であることを特徴とする、乗物の手すり（１０）。
【請求項８】
請求項１ないし７の何れか１つの項に記載の乗物の手すり（１０）において、各々が備え付け要素を備える２つの軸受支持体（１４）は、乗物の手すり（１０）を装着するため提供され、備え付け要素は、同一の外側寸法を有することを特徴とする、乗物の手すり（１０）。
【請求項９】
請求項１ないし８の何れか１つの項に記載の乗物の手すりにおいて、軸受支持体（１４）及び副軸（２２、２４）は、２構成要素の射出成形したユニットとして製造されることを特徴とする、乗物の手すり。
【発明の詳細な説明】
【技術分野】
【０００１】
本発明は、乗物の手すり（ｇｒａｂ  ｈａｎｄｌｅ）であって、把手と、乗物の手すりを乗物本体に装着するための少なくとも１つの軸受支持体とを備え、把手の軸受部分が軸受支持体に回動可能に取り付けられた、上記の乗物の手すりに関する。
【背景技術】
【０００２】
従来、把手は、軸受軸によって軸受支持体に回動可能に装着されていた。把手に及び軸受軸に対する軸受支持体に開口部が形成されており、この開口部は、装着した状態にて外部から見ることができ、このことは視覚上好ましくない影響を与えていた。更に、戻しばね又は緩衝装置のような備え付け要素を装着することは困難であった。
【０００３】
後者と比較して、ドイツ国特許明細書２０３  １０  ９４４  Ｕ１には、軸受軸が軸受支持体と単一部分として設計され且つ、把手の軸受部分内に回転可能に鋳造された改良した乗物の手すりが開示されている。
【発明の開示】
【発明が解決しようとする課題】
【０００４】
この型式の手すりの場合、個別の構成要素は、互いに正確に協働する。すなわち、把手と軸受支持体との間に遊びは全く無い。その結果、乗物の手すりを乗物本体の側部に装着する装置は一般に、特定の許容公差を有するから、乗物の手すりを乗物本体に取り付けるとき、問題を生ずる可能性がある。
【課題を解決するための手段】
【０００５】
本発明は、把手の回転する回動軸線を画成し且つ、この回転の回動軸線に沿って当初の位置から接続位置まで変位することのできる２つの副軸が軸受支持体に設けられており、該副軸は、把手及び軸受支持体を接続位置にて互いに連結する、請求項１の前文部分に記載された乗物の手すりを提供するものである。このように、副軸によって、把手と軸受支持体との間に簡単で且つ確実な回動接続部が提供される。
【０００６】
副軸の当初の位置にあるとき、軸受支持体は、把手の２つの軸受突出部間にて可動である。このように、軸受支持体及び把手は、取り付け位置まで互いに動くことができる。
１つの実施の形態において、当初の位置にあるとき、副軸は、軸受支持体と共に予め取り付けたユニットを形成し且つ、軸受支持体上にて解放されないよう固定されている。このことは、個別の部品をその箇所に取り付けることを著しく容易にし且つその個別の部品数を少なくすることになる。
【０００７】
好ましくは、把手の軸受部分は、副軸が接続位置にて係合する凹部を有するものとする。このようにして、回動接続部を形成することは極めて容易である。
更に、凹部が副軸を案内するための周壁と、副軸の軸方向への変位を制限する基部とを有することが可能である。この場合、製造許容公差のため、副軸は、特定量の遊びを伴って案内され且つ、副軸が当初の位置から接続位置を越えて動くことができないような態様にて、凹部の基部によってその軸方向への変位が制限される。
【０００８】
特に好ましい実施の形態において、軸受支持体は、２つの副軸の間に配置された備え付け要素を有しており、該備え付け要素は、副軸を接続位置にて係止する。このように、取り付けられた後、備え付け要素は、副軸が当初に位置に向けて後方に動き、従って、把手と軸受支持体との間の回動接続部が望ましくなく解放されるのを防止する。
【０００９】
この場合、設定要素は、ばねハウジング又は緩衝装置とすることができる。一般に、今日の乗物の手すりにおいて、この型式の備え付け要素は、何れの場合でも装着され、また、本発明に従って、副軸に対する係止機能を更に果たす。更に、戻しばねのばねハウジング又は緩衝装置は、戻しばね又は緩衝装置の軸線が回転軸線に接近して配置されるように装着されることが好ましい。備え付け要素は、２つの副軸の間に、従って回転軸線上に配置されるため、この装着は本発明に従って自動的に行なわれる。
【００１０】
更なる実施の形態において、各々が備え付け要素を備える２つの軸受支持体は、乗物の手すりを装着するため提供され、備え付け要素は、同一の外側寸法を有している。このように、一方にて、２つの軸受支持体は、同一の構造となるような設計とすることができ、また、他方にて、備え付け要素は、軸受支持体にて随意的に使用することができる。このことは、異なる構成要素を少なくし且つ取り付けを簡単にすることになる。
【００１１】
更なる実施の形態において、軸受支持体及び副軸は、２構成要素の射出成形したユニットとして製造することができる。このことは、軸受支持体及び副軸を別個に製造し、その後に、互いに接続する必要はないため、コストを削減することになる。
【００１２】
本発明の更なる特徴及び有利な効果は、１つの好ましい実施の形態及び以下に参照する添付図面の以下の説明に記載されている。
【発明を実施するための最良の形態】
【００１３】
図１には、把手１２を有する乗物の手すり１０と、乗物の手すり１０を乗物本体１６に装着するための２つの軸受支持体１４とが示されている（図７参照）。軸受支持体１４と全く同様に、把手１２は、合成材料にて出来ている。この場合、これは単一物として形成され、また、把手１２を軸受支持体１４に回動可能に装着するための２つの軸受部分１８を有している。その他の実施の形態において、把手は、幾つかの部分にて形成され、例えば、中央部分に接合、溶接、クリップ止め、ねじ止め又はピン止めした２つの別個の軸受部分にて形成される。
【００１４】
軸受支持体１４には、２つの副軸（シャフトスタブ）２２、２４が設けられており、これらの副軸は、把手１２にて対する回動軸線Ｓを画成し、また、この回動軸線Ｓに沿って変位することができる。
【００１５】
更に、図１において、緩衝装置２６と、ばねハウジング３０、３２を有する戻しばね２８とを見ることができる。取り付けた状態において、戻しばね２８は、ばねハウジング３０、３２により完全に取り囲まれている。以下の説明において、ばねハウジング３０、３２及び緩衝装置２６は、備え付け要素と称する。
【００１６】
更に、軸受支持体１４を乗物本体１６に装着するための２つの金属ブラケット３４が示されている。
更に、金属ブラケット３４と乗物本体１６との間の接続が解放されるのを防止する２つの固定要素３６が設けられている。
【００１７】
それぞれの備え付け要素を別にして、構成要素は完全に同一であり、このため、以下の詳細図には、乗物の手すり１０の１つの軸受部分１８のみが示されている。備え付け要素は、同一の外寸法を有するため、双方の軸受支持体１４の取り付け方法は同一である。
【００１８】
図２ａには、把手１２の軸受部分１８と、軸受支持体１４とが示されている。軸受支持体１４は、実質的にＵ字形の形状をしており、側片３８、４０が互いに対向する位置に配置され、また、軸受支持体の基部４２により単一物として接続され、軸受支持体の基部４２は取り付け開口部４４を有している。把手１２に対する回動軸線Ｓを画成する２つの副軸２２、２４が軸受支持体１４上に設けられている。より正確には、副軸２２、２４の各々は、軸受支持体１４の側片３８、４０の開口部内に保持されている。軸受支持体１４によって、副軸２２、２４は予め取り付けたユニットを形成し且つ、解放しないよう軸受支持体１４上に固定されている。この場合、側片３８、４０の開口部の周端縁における締結突起は、副軸２２、２４に対し半径方向に押され、このため、副軸を解放しないように固定し且つ、これらの副軸を内方に変位した当初の位置に配置する。締結突起の力を上回った後、副軸２２、２４は、回動軸線Ｓに沿って変位可能である。
【００１９】
図２ａにおいて、副軸２２、２４は当初の位置にあり、この位置において、副軸２２、２４は側片３８、４０のそれぞれの外面４６、４８と面一であり、また、それぞれＵ字形の軸受支持体１４の側片３８、４０の内面５０、５２の上方に突き出している。副軸２２、２４のこの当初に位置において、軸受支持体１４は把手１２の２つの軸受突出部５４、５６の間を可動であり、軸受突出部に凹部５７が形成されている。
【００２０】
図２ｂにおいて、軸受支持体１４は、副軸２２、２４及び軸受突出部５４、５６の凹部５７が回動軸線Ｓ上に位置するように整合されている。副軸２２、２４の各々は、これらの副軸が側片３８、４０のそれぞれの内面５０、５２と面一となる迄、矢印の方向に向けて外方に押される。副軸２２、２４は、この場合、軸受突出部５４、５６の凹部５７内に係合し、接続位置（図２ｃ）において、把手１２は軸受支持体１４と連結される。凹部５７は、副軸２２、２４を案内する周壁と、副軸２２、２４の軸方向への変位を制限する基部とを有している。図２ｃにおいて、把手１２は、透明状態にて示されており、このため凹部５７を明確に見ることができる。製造許容公差のため、副軸２２、２４と凹部５７の周壁との間にある量の遊びが存在する。この場合、乗物の手すり１０を乗物本体１６に問題無く取り付けることを保証し得るよう遊びがあることが望ましい。基部の設計は、副軸２２、２４の軸方向への変位を制限し、当初の位置から接続位置を越えて副軸２２、２４の変位が全く生じ得ないようにすることを可能にする。好ましくは、凹部５７の基部は閉じられ、副軸２２、２４に対する開口部を外部から見ることができないようにし、このため、視覚的に好ましくない影響がないようにする。
【００２１】
図３ａにて理解し得るように、以下の説明において、備え付け要素は、軸受支持体１４の２つの副軸２２、２４の間に導入され、この備え付け要素は、副軸２２、２４を接続位置にて係止する（図３ｂ）。
【００２２】
図３ａ及び図３ｂにおいて、備え付け要素は、ばねハウジング３０、３２である。ばねハウジング３０、３２は、図３ｂに従ったその装着位置において、ばねハウジングはその位置にて固定され、例えば、軸受支持体１４内にて係止され、乗物の手すり１０の戻り機能を果たすような設計とされている。このため、副軸２２、２４は、一方にて凹部５７の基部により把手１２内に固定され、また、他方にて、ばねハウジング３０、３２により軸方向に固定される。
【００２３】
図４ａ及び図４ｂには、図３ａ及び図３ｂに従ってばねハウジング３０、３２を装着するときに同様に生ずる緩衝装置２６の装着状態も示されている。
図５ａ及び図５ｂは、金属ブラケット３４の取り付け状態を示す。Ｕ字形の金属ブラケット３４は、互いに対向する位置に配置され、ウェブ６２により互いに接続された２つの側壁５８、６０を有する。ウェブ６２に対向する側部にて、金属ブラケット３４の側壁５８、６０は外方に角度が付けられており、このため、２つのタブ６４、６６が形成される。タブ６４、６６は、ウェブ６２に対して実質的に平行であり且つ互いに反対方向を向いている。更に、側壁５８、６０の各々は、プレス加工した係止舌状体６８と、該係止舌状体６８の上端における戻り止め部７０とを有しており、これらについては以下により詳細に説明する。係止舌状体６８又は戻り止め部７０のような係止要素がその内部に配設される金属ブラケット３４の領域は、全体として、金属ブラケット３４の係止部分とも称する。金属ブラケット３４を形成する好ましい材料はばね金属薄板である。
【００２４】
図５ｂにおいて、金属ブラケット３４は、軸受支持体１４の取り付け開口部４４内に導入され且つ、その位置に強固に保持され、金属ブラケット３４及び軸受支持体１４が更なる取り付けのため互いに正確に配置されるようにする。この予め取り付けた位置において、金属ブラケット３４のタブ６４、６６は、取り付け開口部４４の端縁、すなわち軸受支持体の基部４２の上に位置する。好ましくは、金属ブラケット３４の係止舌状体６８は、これらが金属ブラケット３４を軸受支持体１４内にて予め係止し且つその位置にて固定するような設計とされものとする。
【００２５】
図６ａないし図６ｃに従った更なる組み立てステップにおいて、固定要素３６が取り付けられる。固定要素３６は、第一のへこみ部７２と、第二のへこみ部７４とを有し且つ、軸受支持体１４の取り付け開口部４４内にも導入される。この場合、固定要素３６は、金属ブラケット３４の側壁５８、６０間に押し込まれる。
【００２６】
予め組み立てた位置（図６ｂ）において、金属ブラケット３４及び固定要素３６は形態嵌め接続部を形成し、該形態嵌め接続部によって、固定要素３６は、金属ブラケット３４に対し固定される。この実施の形態において、金属ブラケット３４の側壁５８、６０における戻り止め部７０（図５参照）は、固定要素３６の第一のへこみ部７２内に嵌り、この形態嵌め接続部を形成する。このように、乗物の手すり１０の納入状態に相応する、図６ｂに従った乗物の手すり全体の予め組み立てた状態が形成される。
【００２７】
その後、図１に従った乗物の手すり１０の軸受支持体１４又は２つの軸受支持体１４は、乗物本体１６の適した取り付け開口部内に押し込まれ、該開口部によって係止舌状体６８は外方に向けて再度スナップ動作し且つ乗物本体１６に係止される迄、内方に向けてすなわち互いの方向に向けて動く。乗物の手すり１０に強力な力が加わったとき、金属ブラケット３４と乗物本体１６との間の係止接続部が解放されるのを防止するため、金属ブラケット３４の側壁５８、６０の係止舌状体６８は、合成材料で出来た固定要素３６によりそれらの係止位置に係止される。この目的のため、金属ブラケット３４が固定要素３６との更なる形態嵌め接続部を形成する迄、固定要素３６は、金属ブラケット３４のウェブ６２に向けて更に押され、これによって、固定要素３６は、金属ブラケット３４に対する係止位置に固定される（図６ｃ）。この形態嵌め接続部を形成するため、金属ブラケット３４の戻り止め部７０は、固定要素３６の第二のへこみ部７４内に嵌る。乗物の手すり１０を乗物本体１６に装着する金属ブラケット３４の係止舌状体６８は、固定要素３６により係止位置まで外方に押され且つその位置に保持される。互いの方向に向かう係止舌状体６８の全ての動きは、固定要素３６により防止される。
【００２８】
このように、乗物の手すり１０と乗物本体１６との間の接続は、高レベルの力に耐えることができ、また、金属ブラケットを使用するため、極めて耐久性がある。把手をクリップ止めするため、合成材料が使用されるとき、合成材料の弛緩する特徴のため、接続部の質は時間の経過と共に低下する。
【００２９】
図７には、左側軸受支持体１４にて概略図的にのみ示した乗物本体１６に完全に取り付けられた完全な乗物の手すり１０が示されている。
【図面の簡単な説明】
【００３０】
【図１】本発明に従った乗物の手すりの分解図である。
【図２】２ａは、本発明に従った乗物の手すりの把手に軸受支持体を取り付ける状態を示す詳細斜視図である。２ｂは、本発明に従った乗物の手すりの把手に軸受支持体を取り付ける状態を示す別の詳細斜視図である。２ｃは、本発明に従った乗物の手すりの把手に軸受支持体を取り付ける状態を示す更に別の詳細斜視図である。
【図３】３ａは、本発明に従った乗物の手すり内にばねハウジングを取り付ける状態を示す詳細斜視図である。３ｂは、本発明に従った乗物の手すり内にばねハウジングを取り付ける状態を示す別の詳細斜視図である。
【図４】４ａは、本発明に従った乗物の手すり内に緩衝装置を取り付ける状態を示す詳細斜視図である。４ｂは、本発明に従った乗物の手すり内に緩衝装置を取り付ける状態を示す別の詳細斜視図である。
【図５】５ａは、本発明に従った乗物の手すりの軸受支持体内に金属ブラケットを取り付ける状態を示す詳細斜視図である。５ｂは、本発明に従った乗物の手すりの軸受支持体内に金属ブラケットを取り付ける状態を示す別の詳細斜視図である。
【図６】６ａは、本発明に従った乗物の手すりに対する固定要素の取り付け状態を示す詳細斜視図である。６ｂは、本発明に従った乗物の手すりに対する固定要素の取り付け状態を示す別の詳細斜視図である。６ｃは、本発明に従った乗物の手すりに対する固定要素の取り付け状態を示す更に別の詳細斜視図である。
【図７】本発明に従った乗物の手すりの装着状態にある斜視図である。
【図１】
2009501663.tif 000003
【図２】
2009501663.tif 000004
【図３】
2009501663.tif 000005
【図４】
2009501663.tif 000006
【図５】
2009501663.tif 000007
【図６】
2009501663.tif 000008
【図７】
2009501663.tif 000009
【国際調査報告】
2009501663.tif 000010
2009501663.tif 000011
2009501663.tif 000012
2009501663.tif 000013